(57)【要約】      （修正有）【課題】振動の伝播が小さく、騒音の上昇を抑制する電気掃除機を提供する。【解決手段】電動送風機を横置きに収納するケース１６は、円筒形状部１６ｅの底面部１６ｆに電動送風機の後部に配置した防振ゴムの周囲を保持する略環状の凸部１６ｂを有し、凸部１６ｂは切欠き１６ｃにより、略長方形状の角部を一部切欠くような構造とすることで、防振ゴムとケース１６との接触面積を減らすことができるので、電動送風機からケース１６への振動の伝搬を低減し、騒音の上昇を抑制できる。【選択図】図９
2018019937.tif 000002
【特許請求の範囲】
【請求項１】
電動送風機と、該電動送風機の後部に配置した振動防止部材を保持するケースを備え、
前記ケースは振動防振部材の周囲を保持する形状を有し、前記保持する形状の少なくとも一部は前記振動防止部材と接触しない部分であることを特徴とする電気掃除機
【請求項２】
電動送風機と、該電動送風機の後部に配置した振動防止部材を保持するケースを備え、前記ケースは振動防振部材の周囲を保持する略環状に凸部と、前記凸部の一部への切欠きと、を特徴とする電気掃除機
【請求項３】
前記接触しない部分の少なくとも一箇所は、前記ケースにおける排気部の方向に設けたことを特徴とする請求項１に記載の電気掃除機。
【請求項４】
前記切欠きの少なくとも一箇所は、前記ケースにおける排気部の方向に設けたことを特徴とする請求項２に記載の電気掃除機。
【発明の詳細な説明】
【技術分野】
【０００１】
本発明は、電気掃除機に関するものである。
【背景技術】
【０００２】
近年、電気掃除機において、運転音の小さい低騒音のものが望まれている。しかし、一方で吸込み力も重要な機能であり、電動送風機のパワーを下げて騒音を低減することは望まれない。
また、電気掃除機に内蔵された電動送風機の振動が、電気掃除機本体、大気へと伝播し発生する振動騒音となることが知られている。振動騒音への対策としては、振動源である電動送風機からの振動の発生を抑える方法と、電動送風機からの振動の伝播を低減する方法がある。
電動送風機からの振動の伝播を低減する方法として、電動送風機を収納するケースと電動送風機の間に振動を抑える振動防止部材を使用し、電動送風機を保持する方法が一般的である(例えば、特許文献１参照)。
【先行技術文献】
【特許文献】
【０００３】
【特許文献１】特開２００２−３０６３８５号公報
【発明の概要】
【発明が解決しようとする課題】
【０００４】
特許文献１に記載の構造では、主として振動を抑える振動防止部は電動送風機を収納するケースに埋没する形状としている。そのため、振動防止部材とケースが接触する面積が大きく振動を伝播しやすくなり、結果として騒音が大きくなる恐れがある。
【０００５】
そこで本発明では、振動の伝播が小さく、騒音の上昇を抑制する電気掃除機を提供することを目的とする。
【課題を解決するための手段】
【０００６】
本発明は、塵挨を集塵する集塵部および吸引力を発生させる電動送風機を含む掃除機本体を備え、前記掃除機本体は、電動送風機を収納するケースに振動防止部材を取り付ける環状の凸部を設け、凸部の一部を切欠いたことを特徴とする。
【発明の効果】
【０００７】
本発明によれば、振動の伝搬が小さく、騒音の上昇を抑制する電気掃除機を提供することができる。
【図面の簡単な説明】
【０００８】
【図１】本実施形態に係る電気掃除機の全体を示す外観斜視図である。
【図２】掃除機本体を示す一部分解斜視図である。
【図３】掃除機本体においてダストケースカバーを開けた状態を示す斜視図である。
【図４】掃除機本体の背面図である。
【図５】上ケースの平面図である。
【図６】掃除機本体から排気カバーを取り外した状態を示す斜視図である。
【図７】図６に示す掃除機本体の背面図である。
【図８】掃除機本体の縦断面図である。
【図９】ケースの斜視図である。
【図１０】（ａ）は図８のＡ−Ａ線断面図、（ｂ）は（ａ）のＥ−Ｅ線断面図、（ｃ）は（ａ）のＥ−Ｅ線断面図である。
【図１１】図８のＢ−Ｂ線断面図である。
【図１２】図８のＣ−Ｃ線断面図である。
【図１３】車輪の断面図である。
【図１４】別体ハンドルを示す正面図である。
【図１５】別体ハンドルを示す分解斜視図である。
【図１６】ハンドルカバーを裏側から見たときの背面図である。
【図１７】（ａ）は図１２のＣ−Ｃ線断面図、（ｂ）は（ａ）のＤ−Ｄ線断面図、（ｃ）は（ａ）のＥ−Ｅ線断面図である。
【発明を実施するための形態】
【０００９】
以下、本発明に係る実施形態について適宜図面を参照して説明するが、本実施形態は以下の内容に限定されるものではなく、本発明の範囲内において適宜変更して実施可能である。
【００１０】
図１は、本実施形態に係る電気掃除機の全体を示す外観斜視図である。
図１に示すように、電気掃除機１は、掃除機本体２、ホース３、操作管４、延長管５、吸込具６、別体ハンドル３０などを備えて構成されている。
【００１１】
ホース３の一端は、掃除機本体２に接続され、他端が操作管４の一端に接続されている。操作管４は、手元操作スイッチなどを備えたグリップ４ａを備えている。延長管５は、外管５ａと内管５ｂとによって伸縮自在に構成されている。
【００１２】
図２は、掃除機本体を示す一部分解斜視図である。なお、図２では、コードリール１７のコードの図示を省略している。
図２に示すように、掃除機本体２は、いわゆる紙パック式のものであり、下ケース１１、上ケース１２、ダストケースカバー１３および排気カバー１４を備えている。
【００１３】
下ケース１１は、掃除機本体２の下部の外郭（外観）を構成するものであり、ＰＰ（Polypropylene）樹脂などの合成樹脂製の材料（炭素繊維を含まない）で形成されている。また、下ケース１１は、上部が略矩形状に開口した凹部１１ａを有し、吸引力を発生させる電動送風機１５、電動送風機１５を収納するケース１６、コードリール１７、電動送風機１５（図８参照）を制御する制御基板１８などを収容している。また、下ケース１１は、電動送風機１５の吸引力で集塵した塵埃を収容する集塵部１９を有している。
【００１４】
また、下ケース１１は、前後方向の略中央より後側に電動送風機１５、コードリール１７および制御基板１８が配置され、前後方向の略中央より前側に集塵部１９が配置されている。電動送風機１５とコードリール１７は、前後方向に配置されるとともに、電動送風機１５の後方にコードリール１７が配置されている。制御基板１８は、電動送風機１５を収容しているケース１６の上部に配置されている。集塵部１９の上縁部には、環状に蓋パッキン１９ａが取り付けられている。なお、図３では、未使用の紙パック２２が収容された状態を示している。
【００１５】
上ケース１２は、電動送風機１５、コードリール１７および制御基板１８の上側全体を覆う形状であり、下ケース１１に固定されている。また、上ケース１２の上部には、コードリール１７の電源コード１７ｂ（図８参照）を巻き取る際に押圧される巻取ボタン２３が設けられている。この巻取ボタン２３は、図示しないバネによって上方に付勢されている。
【００１６】
ダストケースカバー１３は、掃除機本体２の上部の外郭（外観）の一部を構成するものであり、主に集塵部１９の上部を開閉するものである。また、ダストケースカバー１３は、ＡＢＳ樹脂などの合成樹脂製の材料（炭素繊維を含まない）で形成されている。また、ダストケースカバー１３は、外面１３ａに凹凸の無い面によって上向きに凸状に形成されている。
【００１７】
排気カバー１４は、掃除機本体２の上部の外郭（外観）の一部を構成するものであり、ダストケースカバー１３の後方に隣接して設けられている。また、排気カバー１４は、ＡＢＳ樹脂などの合成樹脂製の材料（炭素繊維を含まない）で形成されている。
【００１８】
また、排気カバー１４は、ダストケースカバー１３の外面１３ａと同じ曲率を有する外面１４ａを有し、ダストケースカバー１３を閉じたときに（図１参照）、外面１４ａと、ダストケースカバー１３の外面１３ａとが面一となるように構成されている。
【００１９】
また、排気カバー１４は、巻取ボタン２３の操作面を露出させる開口部１４ｂと、接続プラグ１７ｃ（図４参照）が引き出されるプラグ引出口１４ｃと、外部に排気するための排気口１４ｄと、を有している。
【００２０】
図３は、掃除機本体においてダストケースカバーを開けた状態を示す斜視図である。
図３に示すように、ダストケースカバー１３の裏面には、集塵部１９の蓋パッキン１９ａに沿って突出するリブ１３ｂが形成されている。また、ダストケースカバー１３の裏面には、ホース口２１の前端と係合してロックされるロック部材１３ｃが設けられている。
【００２１】
上ケース１２の上部には、排気カバー１４の近傍に、ダストケースカバー１３を回動自在に支持するヒンジ部１２ｂが形成されている。ダストケースカバー１３は、鉛直方向上向きとなるまで開放するように構成されている。
【００２２】
集塵部１９は、ホース口２１に形成されたホース接続口２１ｂと連通するとともに、電動送風機１５（図２、８参照）が収納される空間とフィルタ１９ｂを介して連通している。なお、本実施形態では、紙パック式のものを例に挙げて説明するが、サイクロン式の電気掃除機にも適用することができる。
【００２３】
図４は、掃除機本体の背面図である。
図４に示すように、下ケース１１の後部左右側面には、大径の車輪２０ａ，２０ａが回転自在に取り付けられている。また、下ケース１１の下面には、向きを変えることができる車輪２０ｂが取り付けられている。
【００２４】
排気カバー１４に形成された排気口１４ｄは、複数本のスリット状の孔１４ｄ１を有し、互いに平行に配置されている。また、排気口１４ｄは、湾曲した外面１４ａの排気カバー１４の略上部から左端にかけて左右非対称に形成されている。プラグ引出口１４ｃは、外面１４ａの右端から突出して形成され、右側方と後方が開放する孔を有している。
【００２５】
図５は、上ケースの平面図である。
図５に示すように、上ケース１２は、前端部の左右両端と後端部の略中央に、下ケース１１にねじ固定するためのねじ挿通孔１２ｃが形成されている。また、上ケース１２には、前後方向の略中央における左右両端に、排気カバー１４を上ケース１２に固定する際のねじが挿通されるねじ挿通孔１２ｄが形成されている。また、上ケース１２の背面には、排気カバー１４をねじ固定するためのボス１２ｅ，１２ｅが後方に突出して形成されている。
【００２６】
また、上ケース１２には、後部の左側に略矩形状の排気連通孔１２ｆが形成され、後部の右側に略矩形状の排気連通孔１２ｇが形成されている。また、上ケース１２には、接続プラグ１７ｃが掃除機本体２内に引き込まれるのを規制する規制板１２ｈが形成されている。この規制板１２ｈには、電源コード１７ｂが引き出される孔１２ｈ１が形成されている。
【００２７】
また、上ケース１２は、炭素繊維を含有するカーボン樹脂によって形成されたものであり、非カーボン樹脂であるＡＢＳ樹脂と比較して、軽量で高剛性を有するものである。上ケース１２は、例えば、短繊維からなる炭素繊維を含有する熱可塑性樹脂（例えば、ＰＰ樹脂、ＡＢＳ樹脂）で形成されている。具体的には、ＡＢＳ樹脂よりもＰＰ樹脂を適用することで、より軽量化を図ることができる。
【００２８】
図６は、掃除機本体から排気カバーを取り外した状態を示す斜視図である。なお、図６では、コードリール１６の電源コード１７ｂの図示を省略している。
図６に示すように、掃除機本体２から排気カバー１４を取り外した場合、排気連通孔１２ｆ，１２ｇが露出するようになっている。この排気連通孔１２ｆ，１２ｇは、電動送風機１５を収容しているケース１６（図２、８参照）から排出された空気が、上ケース１２を介して電動送風機１５の側から排気カバー１４の側に抜ける通路として構成されている。
【００２９】
このように構成された電気掃除機１では、電動送風機１５および集塵部１９を含むＰＰ樹脂製（炭素繊維を含まない）の下ケース１１と、電動送風機１５の上側を覆うとともに下ケース１１に取り付けられるカーボン樹脂製の上ケース１２と、掃除機使用時（図１参照）において上ケース１２を隠蔽するＡＢＳ樹脂製（炭素繊維を含まない）のカバー（ダストケースカバー１３および排気カバー１４）と、を備える。これによれば、ケース全体（筺体）をＡＢＳ樹脂などで構成するのではなく、カーボン樹脂製の上ケース１２を適用することで、軽量で高剛性の掃除機本体２を構成できる。しかも、電気掃除機１では、カーボン樹脂製の上ケース１２で隠蔽することで、上ケース１２を外部から視認できない状態にできるので、外観上の美観が損なわれるのを防止できる。さらに、電気掃除機１では、ＡＢＳ製のダストケースカバー１３とＡＢＳ製の排気カバー１４を用いて、例えばシートインサート成型を行うことで、意匠性の高い（外観上において高品質な）電気掃除機１を実現できる。
【００３０】
また、電気掃除機１では、前記上ケース１２を覆うカバーが、集塵部１８を開閉するダストケースカバー１３と、排気口１４ｄを備えた排気カバー１４の２部品で構成されているので、集塵部１８を開閉する際に、掃除機本体２から外側に出っ張るのを防止することが可能になり、ダストケースカバー１３をコンパクトに開閉することができる。
【００３１】
また、電気掃除機１では、上ケース１２の排気連通孔１２ｆ，１２ｇが排気カバー１４によって隠蔽されるので（外部から視認できない状態になるので）、排気連通孔１２ｆ，１２ｇの自由度を高めることができ、排気の向きや排気の量を調整し易くなる。
【００３２】
図７は、図６に示す掃除機本体の背面図である。
図７に示すように、上ケース１２の背面には、略半円状の開口部１２ｍが形成されている。この開口部１２ｍには、上下方向に延在する細長い板状の壁部１２ｍ１，１２ｍ２，１２ｍ２が形成されている。壁部１２ｍ１，１２ｍ２，１２ｍ２の左右両側には、上ケース１２の内外を連通させる排気連通孔１２ｎ１，１２ｎ１，１２ｎ２，１２ｎ２が形成されている。この排気連通孔１２ｎ１，１２ｎ２は、電動送風機１５（図２，８参照）から排出された空気が、上ケース１２を介して電動送風機１５の側から排気カバー１４の側に抜ける通路として構成されている。
【００３３】
図８は、掃除機本体の縦断面図である。
図８に示すように、電動送風機１５は、ファン１５ａおよび電動機１５ｂを金属製の筺体１５ｃに収納したファンモータ部１５ｄと、このファンモータ部１５ｄを収容するケース１６と、を備えて構成されている。
【００３４】
また、電動送風機１５は、ファン１５ａが前方を向くように横置きされ、前面に集塵部１９からの排気を吸引する吸気口１５ｅが形成されている。また、ファンモータ部１５ｄは、防振ゴム１５ｆを介して合成樹脂製のケース１６内に収容されている。ケース１６は、下ケース１１内にねじ固定されている。
【００３５】
図９は、ケース１６の斜視図であり、網掛け部は防振ゴム１５ｇが収納される箇所１６ａを示す。ケース１６は、略円筒形状の円筒形状部１６ｅと、排気部１６ｄと、を有する。円筒形状部１６ｅの底面部１６ｆには、平坦部１６ｆ１と、平坦部１６ｆ１よりもケース１６の内側に突出した凸部１６ｂと、１６ｂで囲まれた箇所１６ａと、を有する。
箇所１６ａは、略長方形状の開口である。凸部１６ｂは、略長方形の環状であるが、一部に切欠き１６ｃを有する。本実施形態では、切欠き１６ｃは略長方形の対角線上に２部分ある。言い換えると、凸部１６ｂは２部分あり、それぞれ、長方形の１短辺と１長辺の部分を形成するものであり、その２部分の間に切欠き１６ｃがある。
図１０（ａ）は図８のＡ−Ａ線断面図である。図８に示すように電動送風機１５は防振ゴム１５ｇを介し、ケース１６内に収納されている。図１０（ａ）に示すように防振ゴム１５ｇはケース１６の略環状の凸部１６ｂに四方を囲まれるように配置され、凸部１６ｂの内側側面で回転方向に動くことを抑制している。また、凸部１６ｂの前面側の天面で防振ゴム１５ｇを受けることで、前後方向の動きも抑制される。この凸部１６ｂをリブで代替えすると、落下衝撃に耐えるようリブの補強と肉厚にする必要があり質量増加とヒケ及びショートショットとなるため、本実施例のように厚みのある袋状とした凸形状が好ましい。なお、複数のリブなどとすることで、質量増加やヒケやショートショットなどの問題を解決することが出来る可能性はある。
【００３６】
凸部１６ｂは防振ゴム１５ｇの周囲を囲むように略環状に形成されているが、切欠き１６ｃにより、略長方形状の角部を一部切欠くような構造としている。この切欠き１６ｃにより、防振ゴム１５ｇとケース１６の凸部１６ｂとの接触面積を減らすことができ、電動送風機１５からケース１６への振動の伝播を低減することができる。図１０（ｂ）は図１０（ａ）のＥ−Ｅ線断面図であり凸部１６ｂと防振ゴム１５ｇが接触している構造を示している。一方、図１０（ｃ）は図１０（ａ）のＤ−Ｄ線断面図であり、切欠き１６ｃを横切るよう断面したため凸部１６ｂがなく防振ゴム１５ｇと接触していない。また、切欠き１６ｃは全周を囲むより体積を減らすことができるため、軽量化することができる。
また、切欠き１６ｃのうちの一つ（図９では左下に位置する切欠き１６ｃ）が排気部１６ｄの方向を向いている。このように、切欠き１６ｃの少なくとも一か所を排気部１６ｄの方向に設けたことで、本体損失の低減となり、かつ排気部１６ｄに設けるフィルタ２４へ滑らかに排気することができる。
【００３７】
また、ケース１６は、前記切欠き１６ｃとケース１６内部を略円筒とすることで、容積を広げ、排気部１６ｄ及びフィルタ２４への排出路もフィルタ２４の形状に近づけるように広げた。これらによりケース１６内での排気の滞りを防ぎ損失低減を図り吸込仕事率を向上することができる。
【００３８】
掃除機本体２は、下ケース１１の前端下面（ホース接続口２１ｂの下側）に、指を掛けて掃除機本体２を持ち上げて運搬するための断面視凹形状を呈する手掛け部２１ｃが形成されている。
【００３９】
また、掃除機本体２の上部において、上ケース１２とダストケースカバー１３との間に空間Ｑ１、上ケース１２と排気カバー１４の上面１４ｓとの間に空間Ｑ２が形成されている。また、掃除機本体２の背部において、上ケース１２と排気カバー１４の背面１４ｔとの間に空間Ｑ３が形成されている。
【００４０】
また、ケース１６の上部には、各種の電気部品１８ａが設けられた基板１８ｂからなる制御基板１８がねじと爪により取り付けられている。基板１８ｂの上面に、電気部品１８ａが設けられている。制御基板１８と上ケース１２との間には、空気が通流する空間Ｑ４が形成されている。
【００４１】
コードリール１７は、コード１７ｂを巻き取りまたは繰り出すリール部１７ａ、商用電源に接続される電源コード１７ｂを備えて構成されている。リール部１７ａは、回転軸１７ｇが前後方向を向いて配置されるように、下ケース１１内に回転自在に支持されている。
【００４２】
図１１は、図８のＢ−Ｂ線断面図である。
図１１に示すように、電動送風機１５は、ケース１６の右側面（図示左側）に排気部１６ｄが形成されている。この排気部１６ｄには、空気清浄用のフィルタ２４が取り付けられている。フィルタ２４としては、ＨＥＰＡフィルタ（High Efficiency Particulate Air Filter）やＵＬＰＡフィルタ（Ultra Low Penetration Air Filter）などである。
【００４３】
また、図１１の白抜き矢印で示すように、排気部１６ｄから出た排気は、上方に向けて流れ（矢印Ｒ１参照）、制御基板１８を右方向から左方向に向けて流れた後（矢印Ｒ２参照）、網掛けで示した連通孔Ｓ１を通して、後方へ通流するように（矢印Ｒ３参照）構成されている。なお、電動送風機１５の後方には、リール部１７ａの円板１７ａ１の縁部と、上ケース１２の裏面（下面）から下方に向けて延びる仕切板１２ｉの縁部とが当接することで、壁面が構成されている。これにより、排気部１６ｄから出た排気が、コードリール１７に向けて直接に流れ込まないようになっている。
【００４４】
図１２は、図８のＣ−Ｃ線断面図である。なお、図１２では、電源コード１７ｂのコード部分の図示を省略し、接続プラグ１７ｃのみを図示している。
図１２に示すように、前記した連通孔Ｓ１（図１１参照）を通過した排気（矢印Ｒ４参照）は、排気連通孔１２ｆ，１２ｇに向けて流れるとともに、コードリール１７（図８参照）を冷却しながら流れるようになっている。排気連通孔１２ｆを通過した排気は、上ケース１２と排気カバー１４との間に流れ込み、排気口１４ｄの左寄りの孔から排出される（矢印Ｒ５参照）。また、排気連通孔１２ｇを通過した排気は、上ケース１２と排気カバー１４との間に流れ込み、排気口１４ｄの右寄りの孔から排出される（矢印Ｒ６参照）。また、排気連通孔１２ｆ、１２ｇを通過しなかった排気は、電源コード１７ｂが挿通されるプラグ引出孔１４ｃと電源コード１７ｂとの隙間から外部に排出される（矢印Ｒ７参照）。
【００４５】
図１３は、車輪の断面図である。
図１３に示すように、車輪２０ａは、上ケース１２と同様な材料（例えば、ＰＰ樹脂に短繊維からなる炭素繊維を含有したもの）で形成され、軽量で高剛性を発揮するように構成されている。また、車輪２０ａは、円板形状の車輪本体２０ｃの径方向の中央に、下ケース１１に回転自在に支持される軸部２０ｄが形成されている。また、車輪本体２０ｃの外面のほぼ全体には、シート２０ｆが貼着される凹み部２０ｅが形成されている。このように、シート２０ｆによって、車輪２０ａの外側から視認できるほぼ全面に、シート２０ｆを設けることによって、車輪本体２０ｃに浮き出る炭素繊維の模様などを覆い隠すことができるとともに、意匠性の高い電気掃除機を実現できる。
【００４６】
このように構成された電気掃除機１では、掃除機本体２において、電動送風機１５とコードリール１７とを前後に配置し（図８参照）、電動送風機１５の側面に排気部１６ｄを設けたことで、空気清浄用のフィルタを搭載しながら、本体の左右幅を小さく構成できる。
【００４７】
また、電気掃除機１では、排気部１６ｄを電動送風機１５の側面に設けることで、電動送風機１５の高さを低くすることができ、掃除機本体２の高さを低くできる。これによれば、電動送風機１５から排出された空気の大半が制御基板１８を横切る流路が形成されるため、電動送風機１５の上部に制御基板１８を配置したとしても、掃除機本体２の高さが大きくなり過ぎるのを防止できる。
【００４８】
また、電気掃除機１では、電動送風機１５の上部に制御基板１８が配置されるとともに、電動送風機１５を挟んで排気部１６ｄとは逆側に上ケース１２と排気カバー１４との間の空間に排気を通流させる連通孔Ｓ１が形成されている。これによれば、制御基板１８を効率的に冷却することができる。
【００４９】
また、電気掃除機１では、電動送風機１５の周囲が、ケース１６、上ケース１２と排気カバー１４とによって３重の壁で覆われているので、騒音（排気音など）を低減できる効果もある。
【００５０】
更には、上ケース１２がダストケースカバー１３と排気カバー１４で覆われているため、上ケース１２には外部からの衝撃が直接加わらないため、上ケース１２を薄肉にすることが可能であり、軽量化することができる。
【００５１】
次に、別体ハンドル３０について、図１４ないし図１７を参照して説明する。図１４は、別体ハンドルを示す正面図、図１５は、別体ハンドルを示す分解斜視図、図１６は、ハンドルカバーを裏側から見たときの背面図、図１７（ａ）は図１４のＦ−Ｆ線断面図、（ｂ）は（ａ）のＧ−Ｇ線断面図、（ｃ）は（ａ）のＨ−Ｈ線断面図である。なお、別体ハンドル３０は、使用者が取り付けて使用するか（図１参照）、取り付けないで使用するか適宜選択できるものである。
【００５２】
図１４に示すように、別体ハンドル３０は、ホース３（図１参照）の継ぎ手（不図示）が挿通される略円筒形状のホース挿通部３１、使用者が手で握る部分であるグリップ３２、およびホース挿通部３１とグリップ３２とを接合する一対の腕部３３，３３を備えて構成されている。
【００５３】
グリップ３２は、略Ｕ字状に形成された丸み部３２ａと、略直線状に形成された直線部３２ｂ，３２ｂとを備え、丸み部３２ａが前側に位置し、直線部３２ｂ，３２ｂが後側に位置するように構成されている。また、グリップ３２は、丸み部３２ａが斜め上向きとなるように傾斜している。
【００５４】
腕部３３は、正面視において逆ハの字状に配置され、直線部３２ｂの位置において接合されている。これにより、グリップ３２と腕部３３，３３とホース挿通部３１とで囲まれる空間に手を挿入して、グリップ３２の丸み部３２ａを手で握ることができるようになっている。
【００５５】
図１５に示すように、グリップ３２は、ホース挿通部３１および腕部３３と一体に成形される本体部３４と、この本体部３４の外面側の全体を覆うグリップカバー３５とを備えて構成されている。
【００５６】
本体部３４は、丸み部３２ａの内面を構成する内面部３４ｓと、直線部３２ｂの内面を構成する内面部３４ｔとを有している。
【００５７】
グリップカバー３５は、丸み部３２ａの外面を構成する外面部３５ｓと、直線部３２ｂの外面を構成する外面部３５ｔとを有している。
【００５８】
このように、グリップ３２を本体部３４とグリップカバー３５の２部品で構成することにより、グリップ３２を丸みのある太い形状にすることができるので、使用者にとって持ち易さが向上する。また、別体ハンドル３０を取り付けずに使用することで、掃除機本体２を軽量化できる。
【００５９】
図１６に示すように、丸み部３５ｓの下端縁部には、略後方に向けて突出する爪部３５ａが形成されている。この爪部３５ａの先端の爪は下向きである。また、丸み部３５ｓの上部内面には、Ｌ字状に突出する突起部３５ｆが複数箇所に形成されている。
【００６０】
直線部３５ｔには、腕部３３に対応する位置の下端縁部に、内方に向けて突出する爪部３５ｂが形成されている。爪部３５ｂの先端の爪は下向きである。また、直線部３５ｔの端部内面には、爪部３５ｃ，３５ｄが上下に形成されている。また、直線部３５ｔの端部には、ねじ３６（図１４参照）が螺合するボス３５ｅが形成されている。
【００６１】
図１５に戻って、内面部３４ｓには、爪部３５ａが挿入される挿入孔３４ａが形成されている。内面部３４ｔには、爪部３５ｂ，３５ｃ，３５ｄが挿入される挿入孔３４ｂ，３４ｃ，３４ｄが形成されている。また、内面部３４ｔには、ボス３５ｅと対応する位置に、ねじ挿通孔３４ｅが形成されている。
【００６２】
図１７（ａ）に示すように、グリップカバー３５の爪部３５ａは、挿入孔３４ａ内に形成された係止部３４ａ１に係止されるとともに、本体部３４の内面部３４ｓの上端縁部３４ｓ１がグリップカバー３５の外面部３５ｓの上端縁部３５ｓ１と突起部３５ｆとで挟持される。
【００６３】
図１７（ｂ）に示すように、グリップカバー３５の爪部３５ｃは、挿入孔３４ｃ内に前方から後方に向けて挿入されることで係止される。
【００６４】
図１７（ｃ）に示すように、グリップカバー３５の爪部３５ｄは、挿入孔３４ｄ内に前方から後方に向けて挿入されることで係止される。また、グリップカバー３５の爪部３５ｂは、挿入孔３４ｂに挿入され、内面部３４ｔの表面に係止される。
【００６５】
そして、最後に、ねじ３６をねじ挿通孔３４ｅに挿通し、ボス３５ｅに螺合することで、グリップカバー３５が本体部３４に固定される。
【００６６】
また、別体ハンドル３０にカバー（グリップカバー３５）を設ける場合、掃除機本体に供えられたハンドルにカバーを設ける場合と比較して、カバー端面が全周にわたり露出するため、ひねりや開き方向の力に弱くなるのが一般的であるが、本実施形態では、前記したように、別体ハンドル３０を７箇所の爪部３５ａ，３５ｂ，３５ｂ，３５ｃ，３５ｃ，３５ｄ，３５ｄと、２箇所のねじ３６，３６で締結することで、意匠性を損なわずに、ひねりや開き方向の力に対して強く固定することができる。
【００６７】
本発明は、前記した実施形態に限定されるものではなく、本発明の範囲を変更しない範囲において適宜変更することができる。例えば、本実施形態では、掃除機本体２にコードリール１７を備えた場合を例に挙げて説明したが、コードリール１７を備えない掃除機本体２に適用してもよい。
【００６８】
また、本実施形態では、上ケース１２を隠蔽するカバーとして、ダストケースカバー１３と排気カバー１４の２部品で構成された場合を例に挙げて説明したが、掃除機使用時に上ケース１２を隠蔽できるものであれば（外部から視認できないものであれば）、ダストケースカバー１３と排気カバー１４とが１部品で構成されたものであってもよい。
【符号の説明】
【００６９】
１      電気掃除機
２      掃除機本体
１１    下ケース
１２    上ケース
１３    ダストケースカバー（集塵蓋）
１４    排気カバー
１４ｄ  排気口
１５    電動送風機
１５ｇ  防振ゴム
１６    ケース
１６ｂ  凸部
１６ｃ  切欠き
１６ｄ  排気部
１７    コードリール
１８    制御基板
１９    集塵部
２０ａ  車輪
Ｓ１    連通孔
【図１】
2018019937.tif 000003
【図２】
2018019937.tif 000004
【図３】
2018019937.tif 000005
【図４】
2018019937.tif 000006
【図５】
2018019937.tif 000007
【図６】
2018019937.tif 000008
【図７】
2018019937.tif 000009
【図８】
2018019937.tif 000010
【図９】
2018019937.tif 000011
【図１０】
2018019937.tif 000012
【図１１】
2018019937.tif 000013
【図１２】
2018019937.tif 000014
【図１３】
2018019937.tif 000015
【図１４】
2018019937.tif 000016
【図１５】
2018019937.tif 000017
【図１６】
2018019937.tif 000018
【図１７】
2018019937.tif 000019